(57)【要約】【課題】色々な産業の中でボルト、ナット、座金を用いる締着材の緊結作業が多数ある中で、座金、ナットが多数使用され締結後に行う、ナットの締忘れ防止と共に、緩み防止が出来て簡易な方法で、締付けの確認点検が大きな課題で有った。【解決手段】座金に窪みを設け座金、ナットに固着剤の侵入溝、押出口を設ける事によって、固着材７がナット側の浸入溝１０と座金の押出口４とで時間経過と共に固着し、固着する事でナットと、座金とナットで緩み止めとなる、座金の押出溝５より押出された固着材７が、同じく締着材上に押出し、固着剤に変質する事で緩み止めとなり、固着剤が露出する事で、締結の完了を目視確認する事が出来る。【選択図】    図８
2008064309.tif 000002
【特許請求の範囲】
【請求項１】
複数の固着剤押出溝と押出孔と、固着剤を装着する窪みとを設けた座金。
【請求項２】
請求項１の座金の窪みに装着する固着剤。
【請求項３】
複数の固着剤侵入溝を設けたナット。
【請求項４】
請求項１の座金に請求項２の固着剤を装着した座金。
【請求項５】
ボルトと請求項３のナットと請求項４の座金を用い、締着材を締結し、締結時に座金の固着剤が、締着の締付け圧力により、固着剤が押出溝、又は押出孔より押出された、固着剤を目視する方法で、締結と緩み止めの完了確認が行える締結の方法。
【発明の詳細な説明】
【技術分野】
【０００１】
本発明は、締着材を緊結する為に用いるボルト、座金、ナットの内座金とナットに関する物と、締着に関する方法。
【背景技術】
【０００２】
ボルト、座金、ナットにおける締結作業において、締着材を安全確実に緊結するには、品質管理上締め忘れ及び緩み防止には、従来から格段の努力が払われて来ましたが、確定的な方法が無かった、締め付け確認作業は多数の作業の中、大変難しい作業であり、簡素化が望まれていた。
【０００３】
【特許文献１】特開２００５−１４０３１４
【特許文献２】特開２００１−０１２４４１
【特許文献３】特開２００１−０１２４２９
【０００４】
特開２００５−１４０３１４に記載の可塑剤、ゲル剤を二枚の座金の間の窪みに装着して
あり、本発明の固着剤の押出方法と可塑剤、ゲル剤を押出する方法、及び締結の確認は同
じで有るが、目視のみの目的で可塑剤、ゲル剤が使われているが、本発明の固着剤は目視
と緩み止めの二つの目的を持って、装着されているものであり本発明の固着剤装着は、一枚の板の窪みに装着している物です、固着剤の押出の方法は異なっており、締結の完了も確認する事が出来る。
【０００５】
特開２００１−０１２４４１に記載のナットにおいて、円孔を用いた物が記載されている
が、此れは座金部材が入る物で有り、本発明の固着剤の侵入溝とは異なる物である、又特
開平９−０７９２６に、緩み防止の為に溝を設けたナットが記載されている、是は溝を付
ける事で、摩擦係数を大きくし緩みを防止する為のものであり、固着剤の侵入を目的とした溝及び、固着を補強する為のものではなく本発明とは異なっている。
【０００６】
特開２００１−０１２４２９に記載の、ナットと座金部の隙間に着色剤を装填し、ナットと座金の締付けにより連結部材が破断し、着色剤が押し出されナットの周囲を着色し、締付けの完了を確認する様に成っているが、本発明のものは、座金の窪みに固着剤を装着し、ナットの締付けにより固着剤を、押出する圧力がナットと締着材によって、固着剤に働き固着剤が押出される事で、締付けの完了を目視出来、又座金とナットを固着させる事で、緩み止めの作用も行う、特開２００１−０１２４２９とは異なっている。
【０００７】
締着材を安全確実に締結するには、品質管理上締め忘れ及び、緩み防止に決定的な簡略方法は無く、全て手作業で一つ一つ積み上げている。
【発明の開示】
【発明が解決しようとする課題】
【０００８】
色々な産業の中でボルト、ナット、座金を用いる締着材の緊結作業は多々有るが、締着材
の締結後に締め忘れ防止の確認作業は、大変難しい作業条件の中において、締結の確認作
業を行なっています、確認作業には可なりの時間を費やす為、確認作業の省力化は重要な
課題で有ります。
【０００９】
締着材の要求する締付けトルク範囲を示す、ナット、座金の締結トルクの範囲を簡易に目
視で示す物が無く、締結力不足でナット、座金を用いる事により、時間経過と共に締結の
緩みが発生し、其れが原因の故障、事故が発生します、ボルト、ナット、座金において緩
み防止が重要な課題であります。
【００１０】
締着材の締結作業の品質管理上、締め忘れが一見して確認出来る物は無かった、又緩み防止には、割りピンを使う等と共に、塗料を厚く塗布し緩み止めとする等、二次的な方法が用いられ簡易な方法で締め忘れ防止、緩み止めの方法が無かった。
【課題を解決するための手段】
【００１１】
図−６に示す様に（図−２の丸囲み部分の拡大図）座金の断面、窪み部分に固着剤７が装
着された座金１及び、固着剤７の押出溝５及び、押出孔４を設けた座金を使用する事で、
図−３の固着剤侵入溝１０を、着座側に設けた固着剤侵入溝付ナット９を用い、締付け用レンチでナットを締付け、座金に加圧する事で固着剤７がナット側の侵入溝１０と、座金の押出孔４に固着剤が侵入する、使用例図−７に示す様に、座金の押出溝５より押出された固着剤７が、締着材上に押出される事で、締結の完了が目視確認出来る。
【００１２】
使用例図−７に示す座金の押出溝５より、押出された固着剤７は締着材上に押出され、固着剤１８となる、又座金１の押出孔４より押出された固着剤は、ナット９の侵入溝１０に侵入する事で、次のような事により緩み止めが図れる、座金と締着材では、座金の固着剤押出溝７と締着材１５、又は座金とナットでは、座金１の固着剤押出孔４から、ナット９の固着剤侵入溝１０及び１０´に固着剤７が侵入し、固着剤７は時間経過と共に、固着剤１８と変質し固着する事で、緩み止めが図れる。
【００１３】
請求項３のナットと請求項４の座金と、ボルトと組合せ使用し締着材１５を締結する事で、座金１の固着剤押出溝５より押出された固着剤７を目視する事で、締結の確認と共に締着後に、押出された固着剤７は、時間経過と共に固着剤１８となり、固着する事で締着の緩み止めとなり、緩みが発生する課題は解決する。
【発明の効果】
【００１４】
使用例図−７の様に固着剤７が、固着剤押出溝５より締着材１５上に押出される事で、固着剤７により締結の完了が目視確認出来、重要な課題の省力化が達成される事に成る。
【００１５】
図−９の様に固着剤７が、座金１の固着剤押出孔４より、ナットの着座側侵入溝１０及び１０´に侵入し、其処で座金１の固着剤押出孔４と、ナットの侵入溝１０及び１０´の間で固着すると共に、侵入溝１０´において、座金１とナット９の固着を補強すると共に、座金１の固着剤押出溝５より押出された固着剤７が、座金１と締着材１５との間で固着し固着剤１８となり、座金の廻り止めの作用を行い緩み止めとなり、重要な課題である締着の緩みが防止される。
【００１６】
請求項３のナットと請求項４の座金と、ボルトの組み合わせにて締着材を締結する事で、締結の品質管理が押出された固着剤７を、目視するのみで可能となり、締結作業の締結管理が省力化される。
【発明を実施するための最良の形態】
【００１７】
本発明に用いられている固着剤とは、接着剤を含んだ可塑剤、ゲル剤等を言い時間経過と
共に変質し固形化、又は半固形化する物等を言う。
【００１８】
座金１に設けられる窪み６は固着剤７を装着するためのものである。
【００１９】
座金１に設けられる固着剤押出溝５、及び固着剤押出孔４は、ボルト及びナットのネジを締付ける事で、座金１はボルトとナットより、平坦になるような圧力を受け、座金１の窪み６に装着した固着剤７は、座金１の窪み６から固着剤押出溝５、及び固着剤押出孔４が通り道となり押出される。
【００２０】
座金１に装着する固着剤７は、マイクロカプセル内に接着剤を封入し、締付け圧力によりマイクロカプセルが破れ、可塑剤又はゲル剤の中へ放出され、変質し可塑剤又はゲル剤と共に、固形化又は半固形化する物等を言うと共に、マイクロカプセルに封入しなくても、此処で言う接着剤は、特許第３８６５７２号で示されている、感圧接着剤を可塑剤又は、
湿潤作用及び又は、粘度制御を与える為、接着剤配合中で使用され得る、これ等の可塑剤は当業者に周知でありとある、故に此処で言う接着剤を可塑剤、ゲル剤と混ぜ合わせ使用する事は可能であり、半固形化し締付けの完了を目視すると共に、緩み止めとして使用が可能である。
【００２１】
固着剤７が空気に触れる事で、固着剤７の変質する事を防止する為に、固着剤７をビニールフィルム、又は樹脂フィルム等で包装し、座金１と共に締結ボルトに装着する直前に、包装より取出し使用する。
【００２２】
図３と図４に記載の固着剤侵入溝１０へ、ボルト１４とナット９による、座金１へのネジの締付けにより、固着剤７への押出圧力により、座金１の固着剤押出孔４より、固着剤７が押出され、ナット９の着座側固着剤侵入溝１０へ、固着剤７が侵入して行く様に、複数の固着剤侵入溝５を設けた物である。
【００２３】
請求項１と請求項２の座金１と固着剤７を一体化し、ビニールフィルム等の、樹脂フィルム等で包装し、固着剤の変質を防止し、座金１を締結ボルトへ装着する直前に、包装より取出し使用する。
【００２４】
ボルトの締付けと共に、図７の押出溝５より押出された固着剤７で締結の完了が目視され、図８の固着剤７が変質し固着剤１８となる事で、座金の緩み止めが行える、又図９の押出孔４より押出された固着剤７は、侵入溝１０から１０´へと固着剤補強侵入溝へ侵入し、固着剤１８となり、ナットの緩み止めとなる方法、又図−７に示す様に締着の完了を示す様に締結を行う方法。
【産業上の利用可能性】
【００２５】
本発明は製造業、建設業、機械産業等、あらゆる生産現場で、組み立て等を行う作業に於いて、ナット、座金は用いられている。
【図面の簡単な説明】
【００２６】
【図１】は座金の平面図
【図２】は図１座金のＡ―Ａ断面図
【図３】はナットの平面図
【図４】は図３ナットのＢ―Ｂ断面図
【図５】は座金及びナットで締結の完了を示す、但し固着剤の押出の記載を除いた図面
【図６】は図２の丸部分拡大図
【図７】は締結を目視した使用例図
【図８】は締結の後固着した処
【図９】は、締結した状態の座金とナット、及び締着材と固着剤の関係を表し、ナットと座金及び締着材との関係を表す為に、意図的に其々の隙間を表すと共に、ボルトの記載は省略している。
【図１０】は固着剤平面図
【図１１】は図１０の固着剤Ｃ−Ｃ断面図
【図１２】は座金と固着剤をフィルム状の物で、包装をした物で平面図
【図１３】は座金と固着剤をフィルム状の物で、包装した図１２のＤ−Ｄ断面図
【図１４】は図１１の丸の部分の拡大図
【符号の説明】
【００２７】
１、  座金                                  
２、  座金外側屈曲線
３、  座金内側屈曲線                        
４、  固着剤押出孔  
５、  固着剤押出溝    
６、  固着剤を装着する窪み                      
７、  固着剤                      
８、  座金のボルト通過穴
８´、固着剤のボルト通過穴
９、  固着剤侵入溝付ナット                  
１０、ナット固着剤侵入溝
１０´ナット固着補強侵入溝
１１、ナット穴                              
１２、ナットへ固着剤の侵入を表す
１３、ナットねじ山                          
１４、ボルト
１５、締着材                                
１６、平座金
１７、ボルトねじ山                          
１８、押出した後、時間経過と共に変質し固形化又は半固形化した固着剤
１９、ナットの頂点                          
２０、座金の延長線を表す
２１、座金の延長線切断を表す                
２２、締着材の延長線切断を表す  
２３、図面作成上意図的に表した隙間
２４、締着材のボルト通過穴
２５、座金と固着剤を一体として、又は固着剤のみを包装するフィルム
２６、固着剤の延長線切断を表す
【図１】
2008064309.tif 000003
【図２】
2008064309.tif 000004
【図３】
2008064309.tif 000005
【図４】
2008064309.tif 000006
【図５】
2008064309.tif 000007
【図６】
2008064309.tif 000008
【図７】
2008064309.tif 000009
【図８】
2008064309.tif 000010
【図９】
2008064309.tif 000011
【図１０】
2008064309.tif 000012
【図１１】
2008064309.tif 000013
【図１２】
2008064309.tif 000014
【図１３】
2008064309.tif 000015
【図１４】
2008064309.tif 000016